(57)【要約】  このテレビ付携帯電話機は、正面に液晶表示画面（３）とスピーカ（４，５）が設けられた本体部（１）と、液晶表示画面（３）と同じ方向を向いた液晶表示／入力画面（２０）とマイク（１１）が設けられた引出部（２）とを備え、引出部（２）は、本体部（１）の内部に対してスライド移動可能に設けられている。したがって、引出部（２）を引き出すことにより、画面（３，２０）の両方を用いて多くの情報を表示することができる。また、液晶表示画面（３）は常に表に出ているので、片手で素早く見ることができる。【特許請求の範囲】
【請求項１】
正面に第１画面（３）とスピーカ（４，５）が設けられた本体部（１）と、
前記第１画面（３）と同じ方向を向いた第２画面（２０）が設けられた引出部（２）と、
前記本体部（１）と前記引出部（２）のうちの少なくとも一方に設けられたマイク（１１）および情報入力部（２０）とを備え、
前記引出部（２）は、前記本体部（１）に対してスライド移動可能に設けられ、前記本体部（１）への収納と前記本体部（１）からの引出が可能になっていることを特徴とする、携帯情報端末。
【請求項２】
前記第１画面（３）と前記第２画面（２０）のうちの少なくとも一方の画面は、タッチパネルで構成されて前記情報入力部（２０）を兼ねていることを特徴とする、請求項１に記載の携帯情報端末。
【請求項３】
前記タッチパネルの情報入力方式を、１０キー、五十音キー、タイプライタ配列のキー、手書きパッドなどの複数の情報入力方式のうちのいずれかの方式に選択的に設定する入力方式選択手段（２０ａ）を備えたことを特徴とする、請求項２に記載の携帯情報端末。
【請求項４】
前記第１画面（３）と前記第２画面（２０）の各々に、受信または録画したテレビ映像、文字情報、自分の画像、通信相手の画像、撮影中の画像、記録画像などを選択的に表示させる画像選択手段（２１，２９）を備えたことを特徴とする、請求項１に記載の携帯情報端末。
【請求項５】
前記本体部（１）の背面の所定位置に、指先を引っ掛けるための窪み（１７）が設けられていることを特徴とする、請求項１に記載の携帯情報端末。
【請求項６】
ヒンジ部（４３）で結合された第１および第２の筐体（４１，４２）を含む折畳可能な携帯情報端末であって、
前記携帯情報端末が折り畳まれたときに表側になるように前記第１の筐体（４１）の正面に設けられた第１画面（４４）と、
前記携帯情報端末が開かれたときに前記第１画面（４１）と同じ方向を向くように前記第２の筐体（４２）の正面に設けられた第２画面（５０）および情報入力部（５１〜５４）と、
前記第１および第２の筐体（４１，４２）のうちの少なくとも一方に設けられたスピーカ（４５，４６）およびマイク（５６）とを備えたことを特徴とする、携帯情報端末。
【請求項７】
前記第１の筐体（４１）の背面に設けられた第３画面（６２）と、
前記第２の筐体（４２）の背面に設けられ、前記携帯情報端末が開かれたときに前記第３画面（６２）と同じ方向を向く第４画面（６１）とを備えたことを特徴とする、請求項６に記載の携帯情報端末。
【請求項８】
前記第１、第２、第３および第４画面（４４，５０，６２，６１）の各々に、受信または録画したテレビ映像、文字情報、自分の画像、通信相手の画像、撮影中の画像、記録画像などを選択的に表示させる画像選択手段（７１，７９）を備えたことを特徴とする、請求項７に記載の携帯情報端末。
【発明の詳細な説明】
【技術分野】
【０００１】
この発明は携帯情報端末に関し、特に、テレビ付携帯電話機のような携帯情報端末に関する。
【背景技術】
【０００２】
一般に携帯電話機は縦長型であり、折畳型の携帯電話機では上側ユニットに縦長の液晶表示画面が設けられ、下側ユニットに各種キーからなる情報入力部が設けられ、液晶表示画面と情報入力部を内側にして折り畳まれる。また、横長の画像や文字情報を見易くするため、上側ユニットを回転およびスライド可能に支持し、液晶表示画面を縦長表示から横長表示に切換えることが可能な携帯電話機もある（たとえば特開２００３−３１９０４３号公報（特許文献１）参照）。また、地上波デジタルテレビ放送を受信および表示するテレビ付携帯電話機の開発も進められている。
【特許文献１】特開２００３−３１９０４３号公報
【発明の開示】
【発明が解決しようとする課題】
【０００３】
しかし、従来の携帯電話機の形態でテレビ付携帯電話機を構成した場合、次のような問題があった。すなわち、地上波デジタルテレビ放送では、映像と文字情報を同時に受信し表示する必要があるが、１つの液晶表示画面で映像と文字情報を同時に表示すると見難くなる。【０００４】
また、折畳型の携帯電話機では、液晶表示画面を内側にして折り畳まれているので、携帯電話機を開かなければ液晶表示画面を見ることができず、カバンやポケットから取出して片手で素早く見ることができない。【０００５】
それゆえに、この発明の主たる目的は、多くの情報を表示することができ、片手で素早く画面を見ることが可能な携帯情報端末を提供することである。
【課題を解決するための手段】
【０００６】
この発明に係る携帯情報端末は、正面に第１画面とスピーカが設けられた本体部と、第１画面と同じ方向を向いた第２画面が設けられた引出部と、本体部と引出部のうちの少なくとも一方に設けられたマイクおよび情報入力部とを備え、引出部は、本体部に対してスライド移動可能に設けられ、本体部への収納と本体部からの引出が可能になっていることを特徴とするものである。したがって、引出部を引き出すことにより、第１画面と第２画面の両方を用いて多くの情報を表示することができる。また、第１画面は常に表に出ているので、片手で素早く見ることができる。【０００７】
好ましくは、第１画面と第２画面のうちの少なくとも一方の画面は、タッチパネルで構成されて情報入力部を兼ねている。この場合は、装置の小型化を図ることができる。【０００８】
また好ましくは、タッチパネルの情報入力方式を、１０キー、五十音キー、タイプライタ配列のキー、手書きパッドなどの複数の情報入力方式のうちのいずれかの方式に選択的に設定する入力方式選択手段が設けられる。この場合は、自分に最適な入力方式を自由に選択することができ、情報を容易に入力することができる。【０００９】
また好ましくは、第１画面と第２画面の各々に、受信または録画したテレビ映像、文字情報、自分の画像、通信相手の画像、撮影中の画像、記録画像などを選択的に表示させる画像選択手段が設けられる。この場合は、たとえば第１画面と第２画面にそれぞれテレビ映像と文字情報を表示することにより、地上波デジタルテレビ放送を見易くすることができる。【００１０】
また好ましくは、本体部の背面の所定位置に、指先を引っ掛けるための窪みが設けられている。この場合は、長時間安定に持つことができる。【００１１】
また、この発明に係る他の携帯情報端末は、ヒンジ部で結合された第１および第２の筐体を含む折畳可能な携帯情報端末であって、携帯情報端末が折り畳まれたときに表側になるように第１の筐体の正面に設けられた第１画面と、携帯情報端末が開かれたときに第１画面と同じ方向を向くように第２の筐体の正面に設けられた第２画面および情報入力部と、第１および第２の筐体のうちの少なくとも一方に設けられたスピーカおよびマイクとを備えたことを特徴とするものである。したがって、情報携帯端末を開くことにより、第１画面と第２画面の両方を用いて多くの情報を表示することができる。また、第１画面は常に表に出ているので、片手で素早く見ることができる。【００１２】
好ましくは、第１の筐体の背面に設けられた第３画面と、第２の筐体の背面に設けられ、携帯情報端末が開かれたときに第３画面と同じ方向を向く第４画面とが設けられる。したがって、情報携帯端末を開くことにより、第３画面と第４画面の両方を用いて多くの情報を表示することができる。【００１３】
また好ましくは、第１、第２、第３および第４画面の各々に、受信または録画したテレビ映像、文字情報、自分の画像、通信相手の画像、撮影中の画像、記録画像などを選択的に表示させる画像選択手段が設けられる。この場合は、たとえば第１画面と第２画面にそれぞれテレビ映像と文字情報を表示することにより、地上波デジタルテレビ放送を見易くすることができる。また、第３画面と第４画面に別の番組のテレビ映像を表示することができる。
【発明の効果】
【００１４】
以上のように、この発明に係る携帯情報端末によれば、第１画面と第２画面の両方を用いて多くの情報を表示することができる。また、第１画面は常に表に出ているので、片手で素早く見ることができる。
【図面の簡単な説明】
【００１５】
【図１】この発明の実施の形態１によるテレビ付携帯電話機の構成を示す図である。
【図２】図１に示したテレビ付携帯電話機の使用方法を示す図である。
【図３】図１に示したテレビ付携帯電話機の使用方法を示す他の図である。
【図４】図１に示したテレビ付携帯電話機の使用方法を示すさらに他の図である。
【図５】図４に示した液晶表示画面と液晶表示／入力画面の表示内容を示す図である。
【図６】図４に示したテレビ付携帯電話機の使用方法を示す図である。
【図７】図４に示した液晶表示画面と液晶表示／入力画面の表示内容を示す他の図である。
【図８】図４に示した液晶表示画面と液晶表示／入力画面の表示内容を示すさらに他の図である。
【図９】図４に示した液晶表示画面と液晶表示／入力画面の表示内容を示すさらに他の図である。
【図１０】図４に示した液晶表示画面と液晶表示／入力画面の表示内容を示すさらに他の図である。
【図１１】図１に示したスピーカの動作を説明するための図である。
【図１２】図１に示したスピーカの動作を説明するための他の図である。
【図１３】図１に示したスピーカの動作を説明するためのさらに他の図である。
【図１４】図１に示したスピーカの動作を説明するためのさらに他の図である。
【図１５】図１〜図１４に示したテレビ付携帯電話機の構成を示すブロック図である。
【図１６】この実施の形態１の変更例を示す図である。
【図１７】この実施の形態１の他の変更例を示す図である。
【図１８】この発明の実施の形態２によるテレビ付折畳型携帯電話機の構成を示す図である。
【図１９】図１８に示したテレビ付折畳型携帯電話機の使用方法を示す図である。
【図２０】図１８に示したテレビ付折畳型携帯電話機の使用方法を示す他の図である。
【図２１】図１８に示したテレビ付折畳型携帯電話機の背面の液晶表示画面の表示内容を示す図である。
【図２２】図１８〜図２１に示したテレビ付折畳型携帯電話機の構成を示すブロック図である。
【符号の説明】
【００１６】
１  本体部、２  引出部、３，４４，５０，６１，６２  液晶表示画面、４，５，４５，４６，６４，６５  スピーカ、４ａ，４ｂ，５ａ，５ｂ  副スピーカ、６，１８，４７，６７  カメラ、７，１４，５１，５８  機能キー、８，１５，５２，５９  サーチキー、９，１６，５３，６０  決定キー、１０  つまみ部、１１，５６  マイク、１２  シャッタキー、１３，５７  ボリュームキー、１７  窪み、１９，５５  スタンド、２０  液晶表示／入力部，２０ａ  入力方式切換キー、２１，７１  操作部、２２，２３，７２，７３  アンテナ、２４，７４  電話無線部、２５，７５  テレビ受信部、２６，７８  方向検出部、２８，７６  ＲＯＭ、２７，７７  ＲＡＭ、２９，７９  制御部、３０，３１  ダイバーシティアンテナ、４１，４２  筐体、４３  ヒンジ部、５４  入力キー、６３，６６  マイク／スピーカ。
【発明を実施するための最良の形態】
【００１７】
[実施の形態１]
図１（ａ）は、この発明の実施の形態１によるテレビ付携帯電話機の構成を示す斜視図であり、同図（ｂ）はその天面図であり、同図（ｃ）はその背面図である。図１（ａ）〜（ｃ）において、このテレビ付携帯電話機は、薄型の直方体状の本体部１と、本体部１内に収納された引出部２とを備える。本体部１の正面は横長の長方形であり、その中央部には横長型の液晶表示画面３が設けられている。液晶表示画面３には、受信または録画したテレビ映像、文字情報、自分の画像、通信相手の画像、撮影中の画像、記録画像などが選択的に表示される。【００１８】
本体部１正面において、液晶表示画面３の左右にそれぞれスピーカ４，５が設けられる。左右のスピーカ４，５により、ステレオ音声を楽しむことができる。左側のスピーカ４は、通話用のスピーカとしても使用される。左側のスピーカ４の上端部には、自分を撮影するためのカメラ６が設けられている。また、本体部１正面の右端上部には、機能キー７と、サーチキー８と、決定キー９とが配置されている。これらのキー７〜９を操作することにより、テレビ受信モードまたは携帯電話モードの選択、テレビチャンネルの選択などを行なうことができる。【００１９】
また、本体部１正面の右端下部には、引出部２を引き出すためのつまみ部１０が露出している。つまみ部１０には、通話用のマイク１１が設けられている。なお、マイク１１の代わりに、あるいはマイク１１に加えて、右側のスピーカ５内に通話用のマイクを設けてもよい。【００２０】
また、本体部１の天面には、カメラ用のシャッタキー１２と、ボリュームキー１３と、機能キー１４と、サーチキー１５と、決定キー１６とが設けられている。キー１３〜１６とキー７〜９は同じ目的に使用され、キー７〜９は本体部１を横長状態で持つ場合に使用され、キー１３〜１６は本体部１を縦長状態で持つ場合に使用される。【００２１】
また、本体部１の背面の中央部（左右の端から４５ｍｍの位置）には、指先を引っ掛けるための窪み１７が形成されている。窪み１７の一方側には被写体を撮影するためのカメラ１８が設けられ、他方側にはスタンド１９が設けれられている。スタンド１９は、本体部１背面の凹部に収納されており、その上端部を中心として下側が引出可能に設けられている。【００２２】
図２および図３は、引出部２を本体部１に収納した横長状態での使用方法を示す図である。手で持ってテレビ映像など鑑賞するときは、図２に示すように、本体部１背面の窪み１７に右手人差し指ないし小指を引っ掛け、本体部１正面の右端部を親指で押さえるとよい。これにより、指の力を余り必要とせず、保持性が格段に高まる。たとえば、揺れの大きな満員電車において立ちながら長時間使用する状況においても、手の疲労が小さくて済む。また、親指の自由度が高いので、キー７〜９を容易に操作することができる。また、液晶表示画面３は常に表に出ているので、カバンやポケットから取出して片手で素早く見ることができる。また図３に示すように、スタンド２０を引き出して、本体部１をたとえば机の上に斜めに立てれば、椅子に座って長時間鑑賞することができる。【００２３】
図４（ａ）はテレビ付携帯電話機を縦長型として使用する場合を示す斜視図であり、同図（ｂ）はその断面図であり、同図（ｃ）は引出部２を引き出した状態を示す斜視図であり、同図（ｄ）はその断面図である。図４（ａ）（ｂ）において、このテレビ付携帯電話機は縦長型として使用することもできる。この状態でも、画像は横に写らずに上下が正常に写り、音声も左右から聞こえるように工夫されている。この点については、後述する。また、引出部２は、本体部１に対してスライド可能に設けられており、本体部１への収納および本体部１からの引出が可能になっている。【００２４】
本体部１から引き出された引出部１には、図４（ｃ）（ｄ）に示すように、本体部１の液晶表示画面３と同じ寸法の液晶表示／入力画面（タッチパネル）２０が設けられている。本体部１を縦長の状態にして引出部２を引き出すとテレビ付携帯電話機は携帯電話モードになり、図５に示すように、液晶表示／入力画面２０には通常の携帯電話機と同様の１０キー方式の情報入力部が表示される。図６に示すように、本体部１を左手で持ち、右手の人差し指でキー操作を行なえば、通常の携帯電話機と同様に使用することができる。本体部１上端部のスピーカ４を耳に当て、引出部２下端部のマイク１１を口に近付ければ通話することができる。【００２５】
また、液晶表示／入力画面２０内の所定位置に表示される入力方式切換キー２０ａをタッチすることにより、液晶表示／入力画面２０の表示内容を変えて情報入力方式を切換えることができる。たとえば、図５の１０キー入力方式の状態で切換キー２０ａを１回タッチすると液晶表示／入力画面２０の表示内容が切換わり、図７（ａ）に示すように、タイプライタのキー配列に従ったＡ〜Ｚのキーなどが液晶表示／入力画面２０に横長型に表示され、液晶表示画面３の表示も横長型になる。図７（ａ）のタイプライタキー入力方式の状態で切換キー２０ａをもう１回タッチすると液晶表示／入力画面２０の表示内容がさらに切換わり、図７（ｂ）に示すように、五十音キー配列に従った「あ」〜「ん」のキーなどが液晶表示／入力画面２０に横長型に表示され、液晶表示画面３の表示も横長型になる。【００２６】
図７（ｂ）の五十音キー入力方式の状態で切換キー２０ａをもう１回タッチすると液晶表示／入力画面２０の表示内容がさらに切換わり、図５の１０キー入力方式に戻る。ユーザは、所望の情報入力方式を選択して表示されたキーを操作することにより、液晶表示画面３においてメールを作成したり、電話帳登録をすることができる。したがって、多くのユーザにとって、情報入力が容易になる。特に、従来の１０キー方式による情報入力が不得意であった中高年のユーザにとって効果が高い。【００２７】
なお、切換キー２０ａを使用しなくても、機能キー７、サーチキー８および決定キー９を使用して液晶表示／入力画面２０の表示内容を変更することができることは言うまでもない。また、液晶表示／入力画面２０が手書きパッドになるようにしてもよい。また、キーの形、色、大きさ、文字の書体などを変更できるようにしてもよい。また、本体部１の液晶表示画面３もタッチパネルで構成し、本体部１に引出部２を収納した状態で電話を架けることができるようにしてもよい。【００２８】
図８（ａ）は、本体部１から引出部２を引き出した状態におけるテレビ番組の表示方法を示す図である。図８（ａ）において、地上波デジタルテレビ放送のテレビ映像は液晶表示画面３に横長型に表示され、データ放送やＥメールなどの文字情報は液晶表示／入力画面２０に横長型に表示される。この場合は、テレビ映像と文字情報を左右の２画面に分けて表示するので、大きく美しいテレビ映像を鑑賞することができるとともに、文字情報を容易かつ正確に読むことができる。【００２９】
なお、図８（ｂ）に示すように、引出部２を本体部１に収納し、液晶表示画面３を３つに分割し、３つの分割画面にそれぞれテレビ映像と、データ放送の文字情報と、メールの内容とを分けて表示することもできるが、それぞれが小さくなり見辛くなる。また、図８（ｃ）に示すように、引出部２を本体部１に収納し、液晶表示画面３にテレビ映像と、データ放送の文字情報と、メールの内容とを重ねて表示することもできるが、それぞれが見辛くなり、テレビ映像を楽しむことができない。【００３０】
また図９に示すように、左側の液晶表示画面３に表示されている映像に対応し、右側の液晶表示／入力画面２０に様々な入力方式の操作キーや操作ガイドを表示させることもできる。たとえば、液晶表示画面３に表示されている映像に関する問題と選択肢をタッチパネルである液晶表示／入力画面２０に表示し、液晶表示／入力画面２０を操作することにより、ユーザがテレビ番組に参加できるようにするとよい。これにより、地上波デジタルテレビ放送の双方向通信機能を有効に利用することができる。【００３１】
また図１０（ａ）に示すように、左画面３に通信相手側のリアルタイム画像を表示するとともに、右画面２０に自分撮影用のカメラ６で撮影した自分の画像を表示し、スピーカ４，５およびマイク１１を用いて通話することができる。【００３２】
また図１０（ｂ）に示すように、左画面３に通信相手との話の媒体となる映像を表示し、右画面２０に通信相手側のリアルタイム画像を表示することができる。話の媒体となる映像としては、たとえば、図１で示した本体部１背面のカメラ１８を用いて撮影している被写体の映像や、本体部１に記録されていて画面３に添付された画像や、通信相手から送られてきて画面３に添付された画像や、テレビ映像が挙げられる。【００３３】
また図１０（ｃ）に示すように、左画面３にテレビ映像や本体部１に記録された映像を表示し、右画面２０に左画面３とは異なる番組のテレビ映像を表示することができる。【００３４】
次に、テレビ付携帯電話機を横長状態で使用する場合と縦長状態で使用する場合におけるスピーカ４，５の動作の切換えについて説明する。図１１（ａ）に示すように、スピーカ４はそれぞれ上端部と下端部に配置された２つの副スピーカ４ａ，４ｂを含み、スピーカ５はそれぞれ上端部と下端部に配置された２つの副スピーカ５ａ，５ｂを含む。本体部１が横長状態で使用される場合は、副スピーカ４ａ，４ｂが左側スピーカとして使用され、副スピーカ５ａ，５ｂが右側スピーカとして使用される。【００３５】
また、本体部１が縦長状態で使用される場合は、図１１（ｂ）に示すように、本体部１の上端部の左右に副スピーカ４ｂ，４ａが位置し、本体部１の下端部の左右に副スピーカ５ｂ，５ａが位置し、副スピーカ４ｂ，５ｂが左側スピーカとして使用され、副スピーカ４ａ，５ａが右側スピーカとして使用される。【００３６】
つまり、副スピーカ４ａは、本体部１が横長状態で使用される場合は左側スピーカとして使用され、本体部１が縦長状態で使用される場合は右側スピーカとして使用される。副スピーカ４ｂは、本体部１が横長状態で使用されるか縦長状態で使用されるかに関係なく、左側スピーカとして使用される。副スピーカ５ａは、本体部１が横長状態で使用されるか縦長状態で使用されるかに関係なく、右側スピーカとして使用される。副スピーカ５ｂは、本体部１が横長状態で使用される場合は右側スピーカとして使用され、本体部１が縦長状態で使用される場合は左側スピーカとして使用される。本体部１が横長状態で使用されているか縦長状態で使用されているかは後述の方向検出部で検出され、この方向検出部の検出結果に基づいて副スピーカ４ａ，４ｂ，５ａ，５ｂの切換制御が行なわれる。【００３７】
なお、図１２（ａ）（ｂ）に示すように、副スピーカ４ａを除去し、本体部１が横長状態で使用される場合は、副スピーカ４ｂを左側スピーカとして使用するとともに副スピーカ５ｂを右側スピーカとして使用し、本体部１が縦長状態で使用される場合は、副スピーカ５ｂを左側スピーカとして使用するとともに副スピーカ５ａを右側スピーカとして使用してもよい。【００３８】
また、図１３（ａ）（ｂ）に示すように、副スピーカ４ｂを除去し、本体部１が横長状態で使用される場合は、副スピーカ４ａを左側スピーカとして使用するとともに副スピーカ５ａを右側スピーカとして使用し、本体部１が縦長状態で使用される場合は、副スピーカ５ｂを左側スピーカとして使用するとともに副スピーカ５ａを右側スピーカとして使用してもよい。【００３９】
また、図１４（ａ）（ｂ）に示すように、副スピーカ４ａ，５ｂを除去し、本体部１が横長状態で使用されるか縦長状態で使用されるかに関係なく、副スピーカ４ｂを左側スピーカとして使用するとともに副スピーカ５ａを右側スピーカとして使用してもよい。【００４０】
図１５は、このテレビ付携帯電話機の構成を示すブロック図である。図１５において、このテレビ付携帯電話機は、液晶表示画面３、液晶表示／入力画面２０、スピーカ４，５、カメラ６，１８、およびマイク１１に加え、操作部２１、アンテナ２２，２３、電話無線部２４、テレビ受信部２５、方向検出部２６、ＲＡＭ(Random  Access  readwrite  Memory)２７、ＲＯＭ(Read  Only  Memory)２８および制御部２９を備える。【００４１】
操作部２１は、機能キー７，１４、サーチキー８，１５、決定キー９，１６、シャッタキー１２、およびボリュームキー１３を含み、テレビ付携帯電話機を操作するものである。電話無線部２４は、電話基地局からアンテナ２２を介して電話信号を受信し、受信した電話信号を音声信号、映像信号、文字情報に変換して制御部２９に与えるとともに、制御部２９から与えられた音声信号、映像信号、文字情報に基づいて電話信号を生成し、生成した電話信号をアンテナを介して基地局に送信する。【００４２】
テレビ受信部２５は、放送局からアンテナ２３を介して高周波信号を受信し、制御部２９から与えられた選局信号に基づき、受信した高周波信号から所望の番組の映像信号、音声信号、文字情報を抽出し、抽出した映像信号などを制御部２９に与えるとともに、制御部２９から与えられた文字情報をアンテナ２３を介して放送局に送信する。【００４３】
方向検出部２６は、テレビ付携帯電話機が横長状態で使用されているか縦長状態で使用されているかを検出し、検出結果を示す信号を制御部２９に与える。ＲＡＭ２７は、制御部２９によって制御され、種々の文字情報や、電話無線部２４およびテレビ受信部２５で受信した映像や、カメラ６，１８で撮影した映像などを記録する。ＲＯＭ２８には、種々のプログラムや、液晶表示画面３や液晶表示／入力画面２０に表示する画像、文字情報、音声情報などが格納されている。【００４４】
制御部２９は、操作部２１、液晶表示／入力画面２０および方向検出部２６からの信号に基づいてカメラ付携帯電話機全体を制御する。たとえば、制御部２９は、操作部２１、液晶表示／入力画面２０および方向検出部２６からの信号に基づき、ＲＯＭ２８に記録されている１０キー、五十音キー、タイプライタ配列のキー、手書きパッドなどの複数の入力方式の画像のうちのいずれかの画像を選択し、選択した画像を液晶表示／入力画面２０に表示させる。【００４５】
また、制御部２９は、操作部２１、液晶表示／入力画面２０および方向検出部２６からの信号に基づいて、画面３，２０の各々に、電話無線部２４およびテレビ受信部２５で受信した映像および文字情報、通信相手の画像、ＲＡＭ２７およびＲＯＭ２８に記録された映像および文字情報、カメラ６，１８で撮影した映像、自分の画像などのうちのいずれかを選択的に表示させる。【００４６】
また、制御部２９は、方向検出部２６からの信号に基づき、テレビ付携帯電話機が横長状態で使用されている場合は画面３，２０に横長の画像を表示させるとともにスピーカ４，５（副スピーカ４ａ，４ｂ，５ａ，５ｂ）を図１１（ａ）で説明したように制御し、テレビ付携帯電話機が縦長状態で使用されている場合は画面３，２０に縦長の画像を表示させるとともにスピーカ４，５（副スピーカ４ａ，４ｂ，５ａ，５ｂ）を図１１（ｂ）で説明したように制御する。【００４７】
なお、図１６に示すように、電話無線部２４またはテレビ受信部２５用に複数（たとえば２つ）のダイバーシティアンテナ３０，３１を本体部１背面の窪み１７の両側にそれぞれ配置し、通信状態が良い方のアンテナを使用しても良い。また、図１７に示すように、ダイバーシティアンテナ３０を本体部１背面の端に配置し、ダイバーシティアンテナ３１を窪み１７の端に配置しても良い。このように、アンテナ３０，３１を本体部１背面の角に設けることにより、アンテナ３０，３１が導電体によって遮蔽される割合を低減して受信状態の向上を図ることができる。【００４８】
[実施の形態２]
図１８（ａ）は、この発明の実施の形態２によるテレビ付折畳型携帯電話機の開状態の正面側から見た斜視図であり、同図（ｂ）はその閉状態の正面側から見た斜視図であり、同図（ｃ）はその閉状態の背面側から見た斜視図である。図１８（ａ）〜（ｃ）において、このテレビ付折畳型携帯電話機は、ヒンジ部４３によって結合された２つの縦長型の筐体４１，４２を備える。ヒンジ部４３は筐体４１，４２の短辺部に設けられ、筐体４１と４２はヒンジ部４３を中心として折畳可能に設けられている。【００４９】
筐体４１の中央部には縦長型の液晶表示画面４４が設けられ、液晶表示画面４４の上下にスピーカ４５，４６がそれぞれ設けられている。スピーカ４６の端部には、カメラ４７が設けられている。【００５０】
筐体４２の上部には液晶表示画面５０が設けられ、その中央部には複数の機能キー５１とサーチキー５２と決定キー５３が設けられ、その下部には複数の入力キー５４が設けられ、その下端部にはスタンド５５およびマイク５６が設けられている。また、筐体４２の側面には、ボリュームキー５７、機能キー５８、サーチキー５９および決定キー６０が設けられている。なお、決定キー５３，６０は、シャッタキーを兼ねている。【００５１】
図１９に示すように、テレビ付折畳型携帯電話機を開いた状態で正面を向けて持つことにより、通常の携帯電話機として使用することができる。また、この状態で地上波デジタルテレビ放送を視聴することもできる。このとき、液晶表示画面４４にテレビ映像が表示され、液晶表示画面５０に文字情報が表示される。これにより、テレビ映像と文字情報を上下の２画面に分けて表示するので、大きく美しいテレビ映像を鑑賞することができるとともに、文字情報を容易かつ正確に読むことができる。【００５２】
また、図２０に示すように、折り畳んで液晶表示画面４４側を正面にし、スタンド５５を引出して横長状態で机の上に置けば、長時間疲れずにテレビ番組を視聴することができる。なお、実施の形態１と同様、液晶表示画面４４を縦長状態にすると縦長の画像が表示され、液晶表示画面４４を横長状態にすると横長の画像が表示され、液晶表示画面４４を縦長状態にしても横長状態にしても、スピーカ４５，４６は左右から音声を出力する。【００５３】
図２１（ａ）〜（ｃ）は、このテレビ付折畳型携帯電話機を横長状態にして開いたときの背面を示す図である。図２１（ａ）〜（ｃ）において、筐体４２，４１の背面の中央部には横長型の液晶表示画面６１，６２がそれぞれ設けられている。筐体４２の背面において液晶表示画面６１の左右にはそれぞれマイク／スピーカ６３およびスピーカ６４が設けられ、筐体４１の背面において液晶表示画面６２の左右にはそれぞれスピーカ６５およびマイク／スピーカ６６が設けられている。スピーカ６５の上端部にはカメラ６７が設けられている。【００５４】
この状態においては、図２１（ａ）に示すように、左画面６１に通信相手側のリアルタイム画像を表示するとともに、右画面６２に自分撮影用のカメラ６７で撮影した自分の画像を表示し、スピーカ６４，６７およびマイク／スピーカ６３，６６を用いて通話することができる。【００５５】
また図２１（ｂ）に示すように、左画面６１に通信相手との話の媒体となる映像を表示し、右画面６２に通信相手側のリアルタイム画像を表示することができる。話の媒体となる映像としては、たとえば、図１８（ａ）で示した筐体４１正面のカメラ４７を用いて撮影している被写体の映像や、筐体４２内のＲＡＭに記録されていて画面６１に添付された画像や、通信相手から送られてきて画面６１に添付された画像や、テレビ映像が挙げられる。【００５６】
また図２１（ｃ）に示すように、左画面６１にテレビ映像や筐体４２内のＲＡＭに記録された映像を表示し、右画面６２に左画面６１とは異なる番組のテレビ映像を表示することができる。【００５７】
図２２は、このテレビ付折畳型携帯電話機の構成を示すブロック図である。図２２において、このテレビ付折畳型携帯電話機は、液晶表示画面４４，５０，６１，６２、スピーカ４５，４６，６４，６５、マイク／スピーカ６３，６６、カメラ４７，６７、およびマイク５６に加え、操作部７１、アンテナ７２，７３、電話無線部７４、テレビ受信部７５、ＲＯＭ７６、ＲＡＭ７７、方向検出部７８および制御部７９を備える。【００５８】
操作部７１は、機能キー５１，５８、サーチキー５２，５９、決定キー５３，６０、およびボリュームキー５７を含み、テレビ付折畳型携帯電話機を操作するものである。電話無線部７４は、電話基地局からアンテナ７２を介して電話信号を受信し、受信した電話信号を音声信号、映像信号、文字情報に変換して制御部７９に与えるとともに、制御部７９から与えられた音声信号、映像信号、文字情報に基づいて電話信号を生成し、生成した電話信号をアンテナ７２を介して基地局に送信する。【００５９】
テレビ受信部７５は、放送局からアンテナ７３を介して高周波信号を受信し、制御部７９から与えられた選局信号に基づき、受信した高周波信号から所望の番組の映像信号、音声信号、文字情報を抽出し、抽出した映像信号などを制御部７９に与えるとともに、制御部７９から与えられた文字情報をアンテナ７３を介して放送局に送信する。【００６０】
ＲＯＭ７６には、種々のプログラム、画像データなどが格納されている。ＲＡＭ７７は、制御部７９によって制御され、種々の文字情報や、電話無線部７４およびテレビ受信部７５で受信した映像や、カメラ４７，６７で撮影した映像などを記録する。方向検出部７８は、テレビ付折畳型携帯電話機が横長状態で使用されているか縦長状態で使用されているかを検出し、検出結果を示す信号を制御部７９に与える。【００６１】
制御部７９は、操作部７１および方向検出部７８からの信号に基づいてカメラ付折畳型携帯電話機全体を制御する。たとえば、制御部７９は、操作部７１および方向検出部７８からの信号に基づいて、画面４４，５０，６１，６２の各々に、電話無線部７４およびテレビ受信部７５で受信した映像および文字情報、通信相手の画像、ＲＡＭ７７およびＲＯＭ７６に記録された映像および文字情報、カメラ４７，６７で撮影した映像、自分の画像などのうちのいずれかを選択的に表示させる。【００６２】
また、制御部７９は、方向検出部７８からの信号に基づき、テレビ付折畳型携帯電話機が横長状態で使用されている場合は画面４４，６１，６２に横長の画像を表示させるとともにスピーカ４５，４６，６３〜６６を図１１（ａ）で説明したように制御し、テレビ付折畳型携帯電話機が縦長状態で使用されている場合は画面４４，６１，６２に縦長の画像を表示させるとともにスピーカ４，５，６３〜６６を図１１（ｂ）で説明したように制御する。【００６３】
この実施の形態２では、液晶表示画面４４と５０の両方または液晶表示画面６１と６２の両方を用いて多くの情報を表示することができる。また、液晶表示画面４４は常に表に出ているので、カバンやポケットから取出して片手で素早く見ることができる。【００６４】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【図１】
2006051669.tif 000002
【図２】
2006051669.tif 000003
【図３】
2006051669.tif 000004
【図４】
2006051669.tif 000005
【図５】
2006051669.tif 000006
【図６】
2006051669.tif 000007
【図７】
2006051669.tif 000008
【図８】
2006051669.tif 000009
【図９】
2006051669.tif 000010
【図１０】
2006051669.tif 000011
【図１１】
2006051669.tif 000012
【図１２】
2006051669.tif 000013
【図１３】
2006051669.tif 000014
【図１４】
2006051669.tif 000015
【図１５】
2006051669.tif 000016
【図１６】
2006051669.tif 000017
【図１７】
2006051669.tif 000018
【図１８】
2006051669.tif 000019
【図１９】
2006051669.tif 000020
【図２０】
2006051669.tif 000021
【図２１】
2006051669.tif 000022
【図２２】
2006051669.tif 000023
【手続補正書】
【提出日】平成18年9月6日(2006.9.6)
【手続補正１】
【補正対象書類名】特許請求の範囲
【補正対象項目名】全文
【補正方法】変更
【補正の内容】
【書類名】請求の範囲
【請求項１】正面に第１画面（３）と複数のスピーカ（４ａ，４ｂ，５ａ，５ｂ）が設けられた本体部（１）と、
前記第１画面（３）の基準辺が横方向と縦方向のうちのいずれの方向に向けられているかに応じて、前記複数のスピーカ（４ａ，４ｂ，５ａ，５ｂ）の各々を右音声用スピーカまたは左音声用スピーカとして使用し、ステレオ音声を発生させる制御部（２９）とを備えたことを特徴とする、携帯情報端末。
【請求項２】前記第１画面（３）と同じ方向を向いた第２画面（２０）が設けられた引出部（２）と、
前記本体部（１）と前記引出部（２）のうちの少なくとも一方に設けられたマイク（１１）および情報入力部（２０）とを備え、
前記引出部（２）は、前記本体部（１）に対してスライド移動可能に設けられ、前記本体部（１）への収納と前記本体部（１）からの引出が可能になっていることを特徴とする、請求項１に記載の携帯情報端末。
【請求項３】前記第１画面（３）と前記第２画面（２０）のうちの少なくとも一方の画面は、タッチパネルで構成されて前記情報入力部（２０）を兼ねていることを特徴とする、請求項２に記載の携帯情報端末。
【請求項４】前記第１画面（３）の基準辺が横方向と縦方向のうちのいずれの方向に向けられているかを検出する方向検出部（２６）を備え、
前記制御部（２９）は、前記方向検出部（２６）の検出結果に基づいて前記複数のスピーカ（４ａ，４ｂ，５ａ，５ｂ）の各々を右音声用スピーカまたは左音声用スピーカとして使用し、ステレオ音声を発生させることを特徴とする、請求項１に記載の携帯情報端末。
【請求項５】前記本体部（１）の背面の所定位置に、指先を引っ掛けるための窪み（１７）が設けられていることを特徴とする、請求項１に記載の携帯情報端末。
【請求項６】ヒンジ部（４３）で結合された第１および第２の筐体（４１，４２）を含む折畳可能な携帯情報端末であって、
前記第１の筐体（４１）の第１の面および第２の面にそれぞれ設けられた第１画面（４４）および第２画面（６２）と、
前記第２の筐体（４２）の第１の面に設けられた第３画面（５０）および情報入力部（５１〜５４）と、
前記第１および第２の筐体（４１，４２）のうちの少なくとも一方に設けられたスピーカ（４５，４６）およびマイク（５６）とを備え、
前記第１の筐体（４１）の第１の面と前記第２の筐体（４２）の第１の面は、前記携帯情報端末を開いた状態で同じ方向を向くことを特徴とする、携帯情報端末。
【請求項７】（削除）
【請求項８】（削除）
【請求項９】前記第１画面（４４）および第２画面（６２）の各々が横長状態と縦長状態のうちいずれの状態にされているかに応じて、前記第１画面（４４）および第２画面（６２）の各々に横長画像または縦長画像を表示する制御部（７９）を備えたことを特徴とする、請求項６に記載の携帯情報端末。
【請求項１０】前記第１画面（４４）および第２画面（６２）の各々が前記横長状態と前記縦長状態のうちのいずれの状態にされているかを検出する検出手段（７８）を備え、
前記制御部（７９）は、前記検出手段（７８）の検出結果に基づいて、前記第１画面（４４）および第２画面（６２）の各々に前記横長画像または前記縦長画像を表示することを特徴とする、請求項９に記載の携帯情報端末。
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
正面に第１画面（３）と複数のスピーカ（４ａ，４ｂ，５ａ，５ｂ）が設けられた本体部（１）と、
前記第１画面（３）の基準辺が横方向と縦方向のうちのいずれの方向に向けられているかに応じて、前記複数のスピーカ（４ａ，４ｂ，５ａ，５ｂ）の各々を右音声用スピーカまたは左音声用スピーカとして使用し、ステレオ音声を発生させる制御部（２９）とを備えたことを特徴とする、携帯情報端末。
【請求項２】
前記第１画面（３）と同じ方向を向いた第２画面（２０）が設けられた引出部（２）と、
前記本体部（１）と前記引出部（２）のうちの少なくとも一方に設けられたマイク（１１）および情報入力部（２０）とを備え、
前記引出部（２）は、前記本体部（１）に対してスライド移動可能に設けられ、前記本体部（１）への収納と前記本体部（１）からの引出が可能になっていることを特徴とする、請求項１に記載の携帯情報端末。
【請求項３】
前記第１画面（３）と前記第２画面（２０）のうちの少なくとも一方の画面は、タッチパネルで構成されて前記情報入力部（２０）を兼ねていることを特徴とする、請求項２に記載の携帯情報端末。
【請求項４】
前記第１画面（３）の基準辺が横方向と縦方向のうちのいずれの方向に向けられているかを検出する方向検出部（２６）を備え、
前記制御部（２９）は、前記方向検出部（２６）の検出結果に基づいて前記複数のスピーカ（４ａ，４ｂ，５ａ，５ｂ）の各々を右音声用スピーカまたは左音声用スピーカとして使用し、ステレオ音声を発生させることを特徴とする、請求項１に記載の携帯情報端末。
【請求項５】
前記本体部（１）の背面の所定位置に、指先を引っ掛けるための窪み（１７）が設けられていることを特徴とする、請求項１に記載の携帯情報端末。
【請求項６】
ヒンジ部（４３）で結合された第１および第２の筐体（４１，４２）を含む折畳可能な携帯情報端末であって、
前記第１の筐体（４１）の第１の面および第２の面にそれぞれ設けられた第１画面（４４）および第２画面（６２）と、
前記第２の筐体（４２）の第１の面に設けられた第３画面（５０）および情報入力部（５１〜５４）と、
前記第１および第２の筐体（４１，４２）のうちの少なくとも一方に設けられたスピーカ（４５，４６）およびマイク（５６）とを備え、
前記第１の筐体（４１）の第１の面と前記第２の筐体（４２）の第１の面は、前記携帯情報端末を開いた状態で同じ方向を向くことを特徴とする、携帯情報端末。
【請求項７】
前記第１画面（４４）および第２画面（６２）の各々が横長状態と縦長状態のうちいずれの状態にされているかに応じて、前記第１画面（４４）および第２画面（６２）の各々に横長画像または縦長画像を表示する制御部（７９）を備えたことを特徴とする、請求項６に記載の携帯情報端末。
【請求項８】
前記第１画面（４４）および第２画面（６２）の各々が前記横長状態と前記縦長状態のうちのいずれの状態にされているかを検出する検出手段（７８）を備え、
前記制御部（７９）は、前記検出手段（７８）の検出結果に基づいて、前記第１画面（４４）および第２画面（６２）の各々に前記横長画像または前記縦長画像を表示することを特徴とする、請求項７に記載の携帯情報端末。
【国際調査報告】
2006051669.tif 000024
2006051669.tif 000025
2006051669.tif 000026
2006051669.tif 000027